(57)【要約】      （修正有）【課題】ＬＥＤを実装した基板とカバーとの間に虫等が入り込む場合に対応可能な構造を備えたＬＥＤ照明器具を提供する。【解決手段】ＬＥＤが実装された基板と、一方の面に基板が取り付けられる放熱板１３とを備える。また、このＬＥＤ照明器具は、放熱板１３を保持すると共に、放熱板１３に取り付けられた基板におけるＬＥＤの光照射方向にカバー１４を保持し、両端面に放熱板１３の端部１３ａとカバー１４の端部１４ａとを臨む開口部１５を有する本体シャーシ２０を備え、更に、開口部１５を覆った状態で、本体シャーシ２０の端面に着脱可能に取り付けられる蓋体３０を具備する。【選択図】図４
2011258420.tif 000002
【特許請求の範囲】
【請求項１】
光源部が一方の面に配設される放熱板と；
前記放熱板の一方の面側であって、前記光源部と対向するように設けられた透光性カバーと；
対向する一対の下側部、前記下側部から互いに対向する方向に延設され支持板部を有する一対の側板と、一対の側板の両端間に開口部が形成されるように固定された端板とを具備し、前記透光性カバーを前記支持板部で支持するとともに前記透光性カバー及び前記放熱板を前記開口部から臨むように収容した本体シャーシと；
前記開口部を覆い、前記本体シャーシに対して着脱自在に取り付けられて、前記端板とともに前記側板の両端部間を閉塞する蓋体と；
を具備することを特徴とするＬＥＤ照明器具。
【請求項２】
前記放熱板の端部であって他方の面から突出するように取り付けられ、光源部に電源供給を行うコネクタと、前記本体シャーシの前記開口部近傍において本体シャーシから内側に向けて突設されて、前記支持板部との間に前記透光性カバー及び前記放熱板を収容する下接続板とを有し、この下接続板には前記放熱板を本体シャーシの内側から開口部を介して外方に向けて移動させたときに少なくとも前記コネクタの一部が通過することができる切欠部を具備することを特徴とする請求項１に記載のＬＥＤ照明器具。
【発明の詳細な説明】
【技術分野】
【０００１】
本発明の実施形態は、ＬＥＤ照明器具に関する。
【背景技術】
【０００２】
近年、ＬＥＤを用いた照明器具が提供されるに到り、蛍光ランプを用いた照明器具にはなかった構成上の特徴を有している。ＬＥＤ照明器具の場合には、長寿命であることから長期使用が想定され、灯体の端板が容易に取り外しできない構成となっている。しかしながら、カバーとシャーシ本体の隙間などなどから虫やごみが、ＬＥＤを実装した基板とカバーとの間に入り込む可能性があり、これに対応する構造が求められる。放熱板やカバー等の器具部品について組み立てと取り外しを適切に行うことができる構造が求められる。
【先行技術文献】
【特許文献】
【０００３】
【特許文献１】特開２００９−２３１０１６号公報
【発明の概要】
【発明が解決しようとする課題】
【０００４】
上記のような技術的背景に鑑み、ＬＥＤを実装した基板とカバーとの間に虫等が入り込場合に対応することが可能な構造を備えたＬＥＤ照明器具を提供することを目的とする。器具部品について組み立てと取り外しを適切に行うことができる構造を備えたＬＥＤ照明器具を提供することを目的とする。
【課題を解決するための手段】
【０００５】
実施形態のＬＥＤ照明器具は、放熱板の一方の面に光源部が配設され、光源部が配設された放熱板とともに透光性カバーが本体シャーシに収納される。透光性カバーは、放熱板の一方の面側であって、光源部と対向するように設けられている。本体シャーシは、一対の側板と側板の両端間に固定された端板で構成される。本体シャーシの側板の両端間には端板で閉塞されない開口部を有する。側板は、対向する一対の下側部及び下側部から互いに対向する方向に延設され支持板部を有する。透光性カバー及び放熱板は開口部から臨むように収容されており、支持板部が透光性カバーを支持する。蓋体は、本体シャーシに対して開口部を閉塞するように着脱自在に取り付けられる。蓋体は、端板とともに側板の両端部間を閉塞する。
【発明の効果】
【０００６】
本発明によれば、蓋体が本体シャーシ端面の開口部を覆うように着脱可能に取り付けられるので、灯体における端板の一部である蓋体を取り外して、虫等の侵入に対応できることが期待される。
【図面の簡単な説明】
【０００７】
【図１】実施形態に係るＬＥＤ照明器具の本体シャーシを内側から見た状態の斜視図。
【図２】実施形態に係るＬＥＤ照明器具の基板及び一部を省略した放熱板の斜視図。
【図３】実施形態に係るＬＥＤ照明器具の天板を内側から見た状態の斜視図。
【図４】実施形態に係るＬＥＤ照明器具において、蓋体を外した本体シャーシの要部斜視図。
【図５】実施形態に係るＬＥＤ照明器具において、天板を外した本体シャーシ内部の要部斜視図。
【図６】実施形態に係るＬＥＤ照明器具において、蓋体を取り付けた状態を示す本体シャーシの要部斜視図。
【図７】図６のＡ−Ａ断面図。
【発明を実施するための形態】
【０００８】
本発明の実施形態に係るＬＥＤ照明器具は、光源部が一方の面に配設される放熱板と；前記放熱板の一方の面側であって、前記光源部と対向するように設けられた透光性カバーと；対向する一対の下側部、前記下側部から互いに対向する方向に延設され支持板部を有する一対の側板と、一対の側板の両端間に開口部が形成されるように固定された端板とを具備し、前記透光性カバーを前記支持板部で支持するとともに前記透光性カバー及び前記放熱板を前記開口部から臨むように収容した本体シャーシと；前記開口部を覆い、前記本体シャーシに対して着脱自在に取り付けられて、前記端板とともに前記側板の両端部間を閉塞する蓋体と；を具備することを特徴とする。
【０００９】
また、前記放熱板の端部であって他方の面から突出するように取り付けられ、光源部に電源供給を行うコネクタと、前記本体シャーシの前記開口部近傍において本体シャーシから内側に向けて突設されて、前記支持板部との間に前記透光性カバー及び前記放熱板を収容する下接続板とを有し、この下接続板には前記放熱板を本体シャーシの内側から開口部を介して外方に向けて移動させたときに少なくとも前記コネクタの一部が通過することができる切欠部を具備することを特徴とする。
【００１０】
本実施形態に係るＬＥＤ照明器具は、図２に示されるように、複数のＬＥＤ１１が実装された基板１２を複数備える光源部を具備して構成される。複数の基板１２は同一寸法の長方形の形状を有している。ＬＥＤ１１は、基板１２に複数が一列に実装されている。これら複数の基板１２は、断面略コ字状に形成された放熱板１３の一方の面に隙間なく長尺状に並べられて放熱板１３に取り付け固定されている。
【００１１】
放熱板１３及び基板１２の一長辺の端部に沿うように、複数のコネクタ１６が並べられて設けられている。このようにコネクタ１６が放熱板１３及び基板１２の一長辺の端部に設けられている理由は、基板１２を共通化する場合に、隣接する基板間を連結する配線は短い方が好適であるため、コネクタ１６をこのような端部位置に形成している。
【００１２】
放熱板１３は例えば金属製であり、基板１２が配設される長尺状のベース１３ｂを有すると共に、上記ベース１３ｂの二長辺から略直角に折り曲げられた側板部１３ｃを備え、側板部１３ｃの先端部が１８０度折り返されている（図７）。側板部１３ｃの折り返された先端部は、端部において後に説明する蓋体３０によって例えば金属製の本体シャーシ２０に結合され、放熱板１３の熱は本体シャーシ２０に伝導するので、効率的な放熱がなされる。
【００１３】
また、図４に示されるように、この実施形態に係るＬＥＤ照明器具は、放熱板１３を保持すると共に、放熱板１３に取り付けられた基板１２におけるＬＥＤ１１の光照射方向にカバー１４を保持する本体シャーシ２０を備えている。
【００１４】
図１及び図４に示されるように、本体シャーシ２０は、長尺状に形成され長手方向で対向かする一対の側板２１、２１及び側板２１、２１間の両端部に端板２２、２２を有し、側板２１、２１及び端板２２、２２によって囲まれて上下が開放した収容空間Ｓが形成されている。
【００１５】
端板２２、２２は、側板２１、２１の長手方向端部の縁の形状に合わせ、正面視すると台形に２つの長方形を上下に繋げた形状で構成されて、それぞれの側板２１、２１に溶接やリベット等の固定手段によって固定されている。また、端板２２、２２の下方は下側部２１ｂ、２１ｂの長手方向の端部間が端板２２、２２に覆われておらず本体シャーシ２０の下側の開放部と連続的に開放する開口部１５が形成されている。このように実施形態に係るＬＥＤ照明器具は、両端面に放熱板１３の端部１３ａとカバー１４の端部１４ａとを臨む開口部１５を有する本体シャーシ２０を備えている。本体シャーシ２０は、長手方向の両端部において該開口部１５を介して収容空間Ｓと外部とが連通している。
【００１６】
側板２１、２１は、長辺の縁から垂直下方向に延びる上側部２１ａ、２１ａと、上側部２１ａ、２１ａの下端の長辺の縁から互いに近づくように下方に傾斜して折り曲げられ傾斜面を構成する中側部２１ｃ、２１ｃと、中側部２１ｃ、２１ｃの下端の長辺の縁から垂直下方に延びる下側部２１ｂ、２１ｂを有している。また、下側部２１ｂ、２１ｂの下端の長辺の縁には互いに近づくように直角に折り曲げられた支持板部２１ｂａが形成されている。この支持板部２１ｂａにおいてカバー１４を支持することができる。
【００１７】
カバー１４は平板状のものであっても、曲面を有する形状（例えば、アーチ形状）などでも、適宜な形状を採用することができ、透光性を有するものであれば良い。更に実施形態に係るＬＥＤ照明器具は、前記開口部１５を覆った状態で、本体シャーシ２０の端面に着脱可能に取り付けられる蓋体３０とを具備する。蓋体３０は、開口部１５からの光漏れを防ぐために、開口部１５から器具の内部方向へ延びる上板３１、下板３２、側板３３を備えることが望ましい。
【００１８】
図４に示されるように、蓋体３０は外形が開口部１５の内側と略同形状に形成された四角形の蓋部３０ａ、蓋体３０の各辺から直角に折り曲げられてそれぞれが同方向を向くように延設され、中央部にネジ穴３４が形成された上板３１、下板３２、二枚の側板３３を有している。また、蓋体３０は蓋部３０ａによって開口部１５を覆うとともに、全体が開口部１５から本体シャーシ２０へ挿入可能に構成されている。
【００１９】
一方、図７に示されるように、長尺状のベース１３ｂの二長辺からから下方へ折り曲げられた側板部１３ｃを備えている放熱板１３は、側板部１３ｃの先端部が１８０度折り返されており、放熱板１３の端部は開口しており、ベース１３ｂの端部から切欠穴１３ｄが形成されている。
【００２０】
また、図５に示されるように、端板２２の下辺２２ａには本体シャーシ２０の内側に折り曲げられた下接続板２２ｂが設けられている。この下接続板２２ｂの概ね中央部には、ネジ穴２３が形成されている。また、本体シャーシ２０の下接続板２２ｂの一端側付近には、放熱板１３を取り付けまたは取り出しの際に、コネクタ１６の頭部側を通過させるための切欠部２４が形成されている。また、端板２２は、中側部２１ｃ、２１ｃの長手方向端部に沿って形成された傾斜辺２２ｃ、２２ｃから本体シャーシ２０の内側に折り曲げられた側部接続板２２ｄ、２２ｄが設けられている。この側部接続板２２ｄ、２２ｄは、側板２１、２１にリベット止めなどにより固定されている。
【００２１】
上記の放熱板１３の側板部１３ｃの下端部側と、側板２１における支持板部２１ｂａとの間にカバー１４が挿入されて図４の状態を呈する。この状態において、蓋体３０を開口部１５に向けて押し込むと、蓋体３０の上板３１が放熱板１３のベース１３ｂの上方に挿入され、下板３２がカバー１４と側板２１における支持板部２１ｂａとの間に挿入される。更に、側板３３が放熱板１３の側板部１３ｃと側板２１の下側部２１ｂとの間に挿入される。
【００２２】
そして、本体シャーシ２０内へ挿入された後に端板２２の側部接続板２２ｄに形成されたネジ穴２３と蓋体３０の上板３１に形成されたネジ穴３４とを位置合わせし、蓋体３０のネジ穴３４から切欠穴１３ｄを介して図示しないネジによって螺合する。
【００２３】
このように、本体シャーシ２０の上側部２１ａ側からネジ穴２３にネジを螺合すると、このネジはネジ穴２３から放熱板１３のベース１３ｂに形成された切欠穴１３ｄを介して蓋体３０の上板３１に形成されたネジ穴３４に螺合し、蓋体３０が固定される。この蓋体３０により、放熱板１３及びカバー１４が端部において的確に支持された状態で固定される（図６）。この状態では、放熱板１３は端板２２の下接続板２２ｂと側板２１における支持板部２１ｂａとの間に支持された状態にある。従って、本実施形態に係るＬＥＤ照明器具は、蓋体３０がなくても側板の下側部によって或る程度の位置規制はできるが、がたつきが発生する。これを蓋体３０で適切に固定している。
【００２４】
上記の工程とは逆の工程により蓋体３０を取り外すことができる。このように蓋体３０には、開口部１５を端板２２から分離して開口部１５を覆う機能を備えさせ、これによって容易にカバー１４の取り外しを可能としており、且つ、放熱板１３とカバー１４を固定する機能を有している。
【００２５】
更に、端板２２は、上辺２２ｅから本体シャーシ２０の内側に折り曲げられた庇板２２ｆが設けられている。このように、本体シャーシ２０は、一対の側板２１、２１が長手方向の両端部において、それぞれが端板２２、２２に固定されて構成されている。なお、本体シャーシ２０の長手方向中央部には、帯状の補強板２５Ａが設けられて側板２１、２１が外側に開かないように構成されている（図１）。この補強板２５Ａは、側板２１、２１の内壁に沿うとともに側板２１、２１の下端縁間を接続するように形成されている。このようにして、本実施形態においては、蓋体３０によって放熱板１３やカバー１４を端部において確実に固定すると共に、補強板２５Ａによって本体シャーシ２０の側板２１、２１が外側に開かないようにして、本体シャーシ２０の適正形状を確保している。
【００２６】
本体シャーシ２０の収容空間Ｓの上側、すなわち取付面側に設けられる天板２５は、長尺状の金属板であり、図３に示されるように、この金属板における二長辺部分を僅かに直角に折り曲げて形成されている。天板２５は、両端部に図示しない取付穴が形成されており、取付穴を用いてボルトやねじ等の固定手段によって天井面に固定される。
【００２７】
また、天板２５の両端部に近い位置には、本体シャーシ２０の内壁部に沿う形状に折り曲げられた帯状の接続金具２６が設けられている。この接続金具２６は、側板２１の中側部２１ｃと対応する面に、ネジ穴２６ａが形成されている。このネジ穴２６ａに対応する本体シャーシ２０の中側部２１ｃには貫通孔が形成されており、この貫通孔を介してネジ２７がネジ穴２６ａに螺合されて、本体シャーシ２０は天板２５に取り付けられる。（図４、図６）。
【００２８】
天板２５の略中央部から一端部へ到る位置には、６角柱状の電源ユニット２８が取り付けられており、この電源ユニット２８の端部には、端子台２９Ａ、２９Ｂが設けられている。例えば、端子台２９Ａの一つに交流電源からの電力ラインが接続され、電源ユニット２８へ電力供給がなされる。これ以外の端子台２９Ａ、２９Ｂは、電源ユニット２８により生成された直流電圧をＬＥＤ１１に供給するための出力側の端子台であり、この端子台２９Ａ、２９Ｂからは図示しないリード線を介して放熱板１３及び基板１２に設けられている前述のコネクタ１６に電源供給される。各コネクタ１６からは、基板１２のパターンを介して各ＬＥＤ１１へ電力供給されている。
【００２９】
上記放熱板１３は、組み立ての際に本体シャーシ２０の下方、すなわち天板２５に取り付けられる前の本体シャーシ２０における収容空間Ｓの下側部２１ｂ、２１ｂによって挟まれた位置に配設される。このとき前述の通り、端板２２の下接続板２２ｂの一端側付近に形成された切欠部２４によって、コネクタ１６の少なくとも頭部をスムーズに通過させることができる。  
【００３０】
即ち、実施形態に係るＬＥＤ点灯器具においては、放熱板１３に対し複数のＬＥＤ１１が実装された複数の基板１２を取り付ける。複数の基板１２が取り付けられた放熱板１３を本体シャーシ２０に取り付ける場合には、蓋体３０が取り付けられていない本体シャーシ２０の内側から開口部１５を介して外方に向けて、上記放熱板１３の一方の端部を挿入する。従って、基板１２および放熱板１３は、図５に示されている本体シャーシ２０の内側に折り曲げられた下接続板２２ｂの下側を通過する。
【００３１】
そして、放熱板１３の他方の端部を下方へ移動させて支持板部２１ｂａに載置し、さらに放熱板１３を他方側へスライド移動させることで、放熱板１３の他方の端部を本体シャーシ２０の他方側に形成された下接続板２２ｂと支持板部２１ｂａとの間に収容し、放熱板１３を開口部１５から臨むように本体シャーシ２０の所定位置に収容することができる。この後に、カバー１４と前述の蓋体３０が取り付けられる。
【００３２】
このように、放熱板１３を本体シャーシ２０の内側から挿入するように構成したので、放熱板１３を本体シャーシ２０の外側から開口部１５へスライド移動して挿入する場合に比べて、本体シャーシ２０に対して放熱板１３の組み立て作業あるいは取り外し作業を容易に行うことできる。
【００３３】
ところで、コネクタ１６は、放熱板１３の他方の面から突出するように基板１２および放熱板１３の一方の長辺端部に沿って設けられているから、このコネクタ１６が下接続板２２ｂと干渉して放熱板１３を開口部１５の外側へ所定以上移動させることができない。このため、コネクタ１６を基板１２の中央側に配置しておかなければ、放熱板１３の一方の端部を開口部１５へ挿入し、放熱板１３の他方の端部を下方へ移動させるときに、放熱板１３の他方の端部が本体シャーシ２０の他方の端部に設けられた下接続板２２ｂと干渉する場合がある。
【００３４】
そこで、下接続板２２ｂの一部であって、コネクタ１６の通過位置に切欠部２４を形成しておくことによって、放熱板１３をより外方へスライド移動させることができる。このため、コネクタ１６の位置を基板１２の端部側へ形成し、放熱板１３の開口部１５に対する挿入寸法が規制されても、放熱板１３の他方の端部が下接続板２２ｂと干渉することなく、放熱板１３を下接続板２２ｂ及び支持板部２１ｂａとの間に収容することができる。
【００３５】
このように、下接続板２２ｂに切欠部２４を形成したことによって、コネクタ１６の位置を基板１２の端部に配設しても、放熱板１３を本体シャーシ２０の所定の位置に収容することができるため、本体シャーシ２０に対して放熱板１３の組み立て作業あるいは取り外し作業を容易に行うことできるとともに共通の基板１２を複数枚使用する場合であっても基板１２間のリード線の長さを短くすることができる。
【００３６】
実施形態に係るＬＥＤ点灯器具を所要位置に取り付ける場合には、上記のようにして本体シャーシ２０に基板１２、放熱板１３、カバー１４および蓋体３０を取り付けたものを用意する。前もって天井などの所要取り付け位置に前述の天板２５を取り付けて端子台２９Ａから電源ユニット２８に給電する状態とし、端子台２９Ａ、２９Ｂとコネクタ１６間をリード線により接続する。接続金具２６と側板２１との位置合わせをして、ネジ２７をネジ穴２６ａに螺合して天板２５に本体シャーシ２０を固定してＬＥＤ照明器具の組み立てを完了する。取り外しは、上記組み立ての逆の工程によってなされる。
【００３７】
上記の通り、蓋体３０により放熱板１３及びカバー１４を的確に支持し固定した状態を実現できる。蓋体３０を取り付ける前には、開口部１５を備えることからこの開口部側から基板１２が取り付けられた放熱板１３の実装や、カバー１４の取り付けを容易に作業効率良く行うことができる。また、取り外しの場合にも好適である。
【符号の説明】
【００３８】
１１  ＬＥＤ
１２  基板
１３  放熱板
１４  カバー
１５  開口部
１６  コネクタ
２０  本体シャーシ
２１  側板
２２  端板
２５  天板
３０  蓋体
【図１】
2011258420.tif 000003
【図２】
2011258420.tif 000004
【図３】
2011258420.tif 000005
【図４】
2011258420.tif 000006
【図５】
2011258420.tif 000007
【図６】
2011258420.tif 000008
【図７】
2011258420.tif 000009